(57)【要約】バスケットボール、フットボール、サッカー・ボール、バレー・ボール又はソフトボールのような膨張できるスポーツ・ボール１０は、ボールを膨張させ又はなおさらにボールに圧力を加え内蔵式膨張機構を設けてある。この機構は、ボール内部に設けられ室圧縮を行いボール内部に大気空気を送入するようにボール外部から操作できる内蔵式の手動のポンプ作用室である。
2004503306.tif 000002
【特許請求の範囲】
【請求項１】
手動で作動される膨張手段を備えた区分を持つカーカスを備えた膨張できるスポーツ・ボールにおいて、
ａ．前記カーカスに取付けた内側層と、
ｂ．前記カーカスにその一方の縁部に沿って枢動できるように取付けられ、この枢動用の縁部のまわりに前記内側層に向かい可動であり、かつこの内側層から遠ざかる向きに可動である外側層と、
ｃ．前記内側層及び外側層の間に取付けられ、膨張室を形成するベローと、
ｄ．前記外側層を前記内側層から遠ざかる向きに動かすときに、前記膨張室内に大気空気を送入するように、前記外側層内に位置させた一方向弁手段と、
ｅ．前記外側層を前記内側層に向かい動かすときに、前記膨張室から前記スポーツ・ボール内部に空気を送入するように、前記内側層内に設けた一方弁手段と、
を包含する膨張できるスポーツ・ボール。
【請求項２】
さらに、前記外側層を前記内側層に鎖錠する手段を備えた請求項１の膨張できるスポーツ・ボール。
【請求項３】
前記カーカスに、伸長できない層を設けることにより、前記スポーツ・ボール内の過度の圧力により前記スポーツ・ボールの寸法が著しくは増大しないようにした請求項１の膨張できるスポーツ・ボール。
【請求項４】
さらに、前記スポーツ・ボール内部から空気圧力を抜く手段を備えた請求項１の膨張できるスポーツ・ボール。
【請求項５】
前記スポーツ・ボールが、バスケット・ボールである請求項１の膨張できるスポーツ・ボール。
【請求項６】
前記スポーツ・ボールが、バレー・ボールである請求項１の膨張できるスポーツ・ボール。
【請求項７】
前記スポーツ・ボールが、フットボールである請求項１の膨張できるスポーツ・ボール。
【請求項８】
前記スポーツ・ボールが、サッカー・ボールである請求項１の膨張できるスポーツ・ボール。
【請求項９】
前記スポーツ・ボールが、ソフトボールである請求項１の膨張できるスポーツ・ボール。
【請求項１０】
膨張できるスポーツ・ボールにおいて、
ａ．前記スポーツ・ボールの外側と内側との間の境界を画定するカーカスと、
ｂ．このカーカスを貫いて延びる穴と、
ｃ．手動で圧縮できる室であって、この室が、前記穴を経て加えられる圧力により圧縮ができるように、前記穴に隣接して前記カーカス内に取付けられた手動で圧縮できる室と、
ｄ．前記圧縮できる室内に大気空気を送入するように、前記圧縮できる室内に設けられた入口穴と、
ｅ．前記圧縮できる室内に設けた出口一方弁であって、前記圧縮できる室を圧縮するときに、この圧縮できる室から前記スポーツ・ボールの内部への一方向の空気の流れを生ずるように、前記圧縮できる室と、前記スポーツ・ボールの内部との間を連通させる出口一方向弁と、
を包含する膨張できるスポーツ・ボール。
【請求項１１】
前記圧縮できる室に連続気泡発泡体パッドを含めた請求項１０の膨張できるスポーツ・ボール。
【請求項１２】
前記圧縮できる室が、ベローである請求項１０の膨張できるスポーツ・ボール。
【請求項１３】
前記スポーツ・ボールが、バスケットボール、バレー・ボール、フットボール、サッカー・ボール及びソフトボールから成る群から選定したボールから成る請求項１０の膨張できるスポーツ・ボール。
【請求項１４】
前記カーカスに、伸長できない層を設けることにより、前記スポーツ・ボールの内部の過度の圧力によって前記スポーツ・ボールの寸法が著しく増大することがないようにした請求項１０の膨張できるスポーツ・ボール。
【請求項１５】
膨張できるスポーツ・ボールにおいて、
ａ．前記スポーツ・ボールの外側と内側との間の境界を画定するたわみ性のカーカスと、
ｂ．前記カーカスの一部分の内側に取付けられ、前記たわみ性のカーカスとの間に室を画定するように形成した剛性部材と、
ｃ．前記カーカスに設けられ、前記スポーツ・ボールの外側と前記室との間を連通させ、この室内に空気を送入するための一方向弁と、
ｄ．前記剛性部材に設けられ、前記室と前記スポーツ・ボールの内側との間を連通させ、前記カーカスの前記一部分が前記室を圧縮するようにたわませられるときに、前記室から前記スポーツ・ボールの内側に空気を通過させるための一方向弁と、
ｅ．前記室内に前記のカーカス及び剛性部材の間に設けられ、前記カーカスの前記一部分を外方に押し前記室を減圧するのに適するばねと、
を包含する膨張できるスポーツ・ボール。
【請求項１６】
前記カーカスに、伸長できない層を設けることにより、前記スポーツ・ボール内部の過度の圧力によって前記スポーツ・ボールの寸法が著しく増大することがないようにした請求項１５の膨張できるスポーツ・ボール。
【請求項１７】
前記スポーツ・ボールが、バスケットボール、バレー・ボール、フットボール、サッカー・ボール及びソフトボールから成る群から選定したボールから成る請求項１５の膨張できるスポーツ・ボール。
【請求項１８】
膨張できるスポーツ・ボールにおいて、
ａ．カーカスと、
ｂ．このカーカスの内側に設けたポケットと、
ｃ．前記ポケット内に位置させた圧搾できるバルブであって、このバルブの内部に周囲の空気を送入する手段と、前記圧搾できるバルブからの空気を前記ポケットから前記カーカスの内側に通過させるための一方向弁手段と、
を備えた圧搾できるバルブと、
を包含する膨張できるスポーツ・ボール。
【請求項１９】
前記カーカスに、伸長できない層を設けることにより、前記スポーツ・ボールの内部の過度の圧力によって前記スポーツ・ボールの寸法が著しく増大することがないようにした請求項１８の膨張できるスポーツ・ボール。
【請求項２０】
前記カーカスを経ての前記ポケット内への入口を備え、この入口を通って前記ポケットから前記圧搾できるバルブを取出せるようにし、さらにこの圧搾できるバルブを前記一方向弁手段に接続する管を設けた請求項１８の膨張できるスポーツ・ボール。
【請求項２１】
前記カーカスに、伸長できない層を設けることにより、前記スポーツ・ボールの内部の過度の圧力により前記スポーツ・ボールの寸法が著しく増大することがないようにした請求項２０の膨張できるスポーツ・ボール。
【請求項２２】
膨張できるスポーツ・ボールにおいて、
ａ．前記スポーツ・ボールの外側と内側との間の境界を形成するカーカスであって、伸長できない層を備えることにより、前記スポーツ・ボールの内部の過度の圧力により前記スポーツ・ボールの寸法が過度に増大することがないようにしたカーカスと、
ｂ．このカーカスの一部分に取付けられた手動で圧縮できる室であって、前記スポーツ・ボールの外側から手動の圧力を加えることにより圧縮できると共に前記手動の圧力を解放することにより減圧できるようにした手動で圧縮できる室と、
ｃ．前記手動の圧力の解放時に、前記室内に周囲の空気を送入する手段と、
ｄ．前記室に設けられた出口一方向弁であって、前記室と前記スポーツ・ボールの内側との間を連通させ、手動の圧力を加えることによる圧縮時に、前記圧縮できる室から前記スポーツ・ボールの内部への空気の一方向流れを生じさせる出口一方向弁と、
を包含する膨張できるスポーツ・ボール。
【請求項２３】
さらに、過度の空気圧力を、前記スポーツ・ボールの内部から流出させる手段を備えた請求項２２の膨張できるスポーツ・ボール。
【発明の詳細な説明】
【０００１】
【産業上の利用分野】
本発明は、ボール膨張用又はボール内部への圧力付与用の機構を含むスポーツ・ボールに関する。
【０００２】
本発明は、１９９９年１０月１４日付米国特許願６０／１５９，３１１号明細書の追加に係わる。
【０００３】
バスケットボール（ｂａｓｋｅｔｂａｌｌ）、フットボール（ｆｏｏｔｂａｌｌ）、サッカー・ボール（ｓｏｃｃｅｒ　ｂａｌｌ）、バレー・ボール（ｖｏｌｌｅｙ　ｂａｌｌ）及びソフトボール（ｐｌａｙｇｒｏｕｎｄ　ｂａｌｌ）のような従来の膨張できるボールは、自動密封膨張弁内にこの弁を貫いて挿入する別個の膨張用ニードルを使い伝統的な膨張弁を経て膨張させる。伝統的自転車ポンプのような別個のポンプは膨張用ニードルに接続する。そしてボールはこのポンプを使い膨張させる。次いでこの膨張用ニードルは、圧力を保持するように自動密封する膨張弁から抜き出す。このシステムは、スポーツ・ボールが膨張又は圧力増大を必要とするが、ニードル及び／又はポンプが容易には利用できない場合に良好に作用する。
【０００４】
本発明は、内蔵式膨張機構を持つスポーツ・ボールを提供する。その目的は、膨張用ニードル及びポンプのような別個の膨張装置を必要としないでスポーツ・ボールの膨張又は圧力付与ができるようにすることにある。とくに本発明は、所望の圧力が得られるようにボール内部に大気空気を送る内蔵式手動ポンプ作用室を持つスポーツ・ボールに係わる。とくにこのポンプ作用室は、この室内に大気空気を挿入する手段とこの室から一方弁手段を経てボールの内容積内に空気を押込む手段とを備える。
【０００５】
【実施例】
図１及び２には本発明の膨張ポンプ作用室の１実施例を備えたスポーツ・ボール（ｓｐｏｒｔ　ｂａｌｌ）１０の一部分を例示してある。例示したスポーツ・ボールは、空気保持用のゴム製袋１４と、袋１４のまわりに巻付けたナイロン糸又はポリエステル糸の巻線層から成る層１６と外側ゴム層１８とのような種種のボール層を含むのにこの場合使われる用語であるカーカス（ｃａｒｃａｓｓ）１２を備えた典型的なバスケットボール構造である。積層ボールではカーカス１２は又、常温成形処理中に接着剤により当てがい圧力により硬化するパネルを含む皮又は合成材から成る付加的外層２０を備える。前記の巻線は、乱雑に配向され２層又は３層の厚さを持ち、これ等の巻線は、正規の作動圧力以上に膨張させたときにあまり伸長できなくてボールをその規制寸法以上にはあまり膨満しないように制限する層を形成する。フットボール、バレーボール及びサッカー・ボール用の層は、ライニング層と呼ばれ、通常ビニル・ゴム又はラテックス・ゴムのようなたわみ性結合剤樹脂を含浸した木綿布又はポリエステル布から構成する。
【０００６】
本発明では或る種の室をスポーツ・ボール構造に協働させる。このボール構造では、この室に空気を充てんする。この場合この空気を室からボール内部に手動で放出する。図１及び図２に示した実施例はポンプ室２２内に形成したカーカス１２の区間を持つ。ポンプ室２２は、袋（ｂｌａｄｄｅｒ）１４及び層１６の区間である内側部分２４とゴム層１８及び外層２０の区間である外側部分２６とを備える。外側部分２６は一方の縁部２８に沿って取付けられ、外側部分２６を持ち上げて取付け縁部２８のまわりにカーカス１２から外方に遠ざかる向きに回動できるようにしてある。外側部分２６の３つの自由縁部はベロー３０により内側部分２４に取付けてある。すなわちポンプ室２２は、内側部分２４、外側部分２６及びベロー３０により仕切ってある。内側部分２４内には一方弁（ｏｎｅ−ｗａｙ　ｖａｌｖｅ）３２を位置させてある。一方弁３２は、ベロー３０を閉じたときにポンプ室２２からスポーツ・ボール内に空気を流入させるが逆流は防ぐ公知のダックビル弁（ｄｕｃｋｂｉｌｌ　ｖａｌｖｅ）から成る。同様に外側部分２６は一方弁（ｏｎｅ−ｗａｙ　ｖａｌｖｅ）３４を持つ。この一方弁も又ダックビル弁から成る。この一方弁３４は、ベロー３０を開くときは大気からポンプ室２２内に空気を入口させるが、ベローを閉じるときに逆流を生じさせない。内側部分２４はベローを閉じたときにダックビル弁３４を受け入れるように凹入部３６を持つ。外側部分２６は、この閉じた位置に外側部分２６を押さえ付けるように凹入部４０内に締付けるボール・ラッチ３８を持つ。図２に示すように凹入部４０はダックビル弁３２の一部である。しかしこの凹入部は別個の部分にしてもよい。外側部分２６の端部と内側部分２４の対応表面との各ベルクロ（Ｖｅｌｃｒｏ）条件も又外側部分２６を押さえ付けるのに使うことができる。外側部分２６を引上げる操作のために外側部分２６の端部に小さなくぼみ及び切込みを形成してもよい。
【０００７】
本発明の別の実施例を図３に示してある。この実施例では、圧縮できるようにベロー形の形状を持つバルブ（ｂｕｌｂ）４２を備える。バルブ４２は、一方弁、ダックビル形出口４４及び小さな入口穴（ｉｎｌｅｔ　ｈｏｌｅ）４６を持つ。バルブ４２は、カーカス１２の内側面にくぼみ５０を持つハウジング４８内に取付けてある。カーカス１２は、圧縮バルブ４２を操作し空気を通すための小さな穴５２を持つ。穴５２をできるだけ小さくししかもこのバルブの圧縮ができるように小さなキー５４を設けてある。キー５４は、バルブ４２の入口穴４６を覆い次いでバルブ４２を圧縮して一方向出口弁（ｏｎｅ−ｗａｙ　ｏｕｔｌｅｔ　ｖａｌｖｅ）４４からスポーツ・ボール内に空気を押出すのに使う。
【０００８】
図４及び５は、スポーツ・ボール・カーカス１２の凹入部５８内に位置させた圧縮ポンプ室５６を備えた別の実施例を示す。室５６は、基板６０、カバー６２、連続気泡発泡体パッド６４及びダックビル弁６６を含む図５に例示した４部品を備える。フォーム・パッド６４及びダックビル弁６６は基板６０内に位置させ、又カバー６２は、形成した出口管６８内にダックビル弁６６を位置させて基板６０に接着してある。カバー６２の頂部７０は、柔軟性を持ち空気取入れ穴７２を持つ。連続気泡発泡体パッド（ｏｐｅｎ　ｃｅｌｌ　ｆｏａｍ　ｐａｄ）６４は通常、穴７２を経て入る空気が充満している。穴７２は次いで指で覆い、柔軟な頂部７０を押して連続気泡発泡体パッド６４を押圧し出口管６８及びダックビル弁６６を経て空気を押出す。次いでカバー７０を解放し空気が穴７２には入り連続気泡発泡体パッド６４をふたたび満たす。
【０００９】
図６は本発明の別の実施例を示す。この実施例ではポンプ作用室７４は、カーカス１２とボール内部でカーカス１２に取付けた比較的剛性の仕切７６との間に空間を備える。ダックビル一方弁７８、８０はそれぞれカーカス１２及び仕切７６に位置させてある。ばね８２は、カーカス１２及び仕切７６の間に位置し、ダックビル弁８０とカーカス１２の内側の突起８４とにより定位置に保持してある。ボール内の圧力は、室７４に対しカーカス１２を押圧してばね８２を圧縮し室７４からダックビル弁８０を経てボール内に空気を押出すことにより増大する。ボールの圧力を解放すると、ばねによりカーカス１２をその正常位置に押し戻す。この場合大気中からダックビル弁７８を経て室７４内に空気を吸引する。図７は、ボールを地面又はその他の面上に置き室７４の領域でカーカス１２を押すことによる、ボールに対するポンプ作用を示す。
【００１０】
図８及び９は、ボール内のポケット８８内に圧搾できるバルブ（ｓｑｕｅｅｚａｂｌｅ　ｂｕｌｂ）８６を含めた本発明の各変型を示す。図８に示した変型ではバルブ８６はポケット８８内に恒久的に位置させる。バルブ８６は、ポケット８８を経てボールの内部に通ずる一方向弁９０を備えた空気出口を持つ。バルブ８６は又、空気をバルブ８６に入れる一方向弁９２を持つ空気入口を備える。透過性の膜（ｐｅｒｍｅａｂｌｅ　ｍｅｍｂｒａｎｅ）９４はバルブ８６を覆う。又カーカスに設けたフラップ９６により空気をボール内に押込むようにバルブ８６を押さえ付ける操作ができる（ａ　ｆｌａｐ　９６　ｐｅｒｍｉｔｓ　ａｃｃｅｓｓ　ｆｏｒ　ｐｒｅｓｓｉｎｇ　ｄｏｗｎ　ｏｎ　ｔｈｅ　ｂｕｌｂ　８６）。図９に示した変型は、バルブ８６を一層容易な操作のためにポケット８８から取りはずしたことを除いて図８の場合と同様である。このことは、バルブ８６の出口を管９８により一方弁９０に接続してあるから可能である。
【００１１】
スポーツ・ボール内の圧力は、過度の膨張又は温度増大によって過度に高くなるから、従来の膨張用ニードルを利用できないときはボールから圧力を抜く手段を設けるのがよい。このような構造は図１０に示すように自動調整式の調節できる圧力逃がし弁１００を備える。この逃がし弁１００は、カップ形囲い１０４により内側を覆ったカーカス１２を貫く穴１０２を備える。囲い１０４は弁座１０８を持つ穴１０６を備える。弁１１０は、ボール内に圧力を保持するように弁座１０８を密封する。弁棒１１２はディスク１１４を貫いてねじ込みディスク１１４を弁棒１１２のヘッド１１６を回すことにより弁棒１１２に沿い軸線方向に動かすことができるようにする。ばね１１８は弁棒１１２のまわりにディスク１１４及びカーカスの間に位置させる。従ってヘッド１１６及び弁棒１１２を回すとディスク１１４を弁棒１１２に沿い軸線方向に動かしばね１１８の圧力を調節する。ばね１１８の圧力は、ボール内の過圧により弁１１０を開き圧力を抜き次いで所望の圧力に達したときに閉じるように調節する。
【図面の簡単な説明】
【図１】空気圧力を加えるようにボール外部から操作できるベロー構造を備えた内蔵のポンプ作用室を持つ本発明スポーツ・ボールの一部の斜視図である。
【図２】図１のポンプ作用室の横断面図である。
【図３】ポンプ作用室の変型の横断面図である。
【図４】ポンプ作用室の別の変型の横断面図である。
【図５】図４のポンプ作用室の各別の部品の斜視図である。
【図６】弁の変型によるポンプ作用室を備えたスポーツ・ボール部分の横断面図である。
【図７】ポンプ作用を行う図６のスポーツ・ボールの斜視図である。
【図８】異なるポンプ室を設けた実施例によるボールを一部を切欠いて示す斜視図である。
【図９】さらに異なるポンプ室を設けた実施例によるボールを一部を切欠いて示す斜視図である。
【図１０】本ボールに設けた調節できる自動調整圧力逃がし弁の横断面図である。
【符号の説明】
１０　　　　スポーツ・ボール
１２　　　　カーカス
１６　　　　内側層
１８　　　　外側層
２８　　　　縁部
３０　　　　ベロー
３２、３４　一方向弁手段
【国際公開パンフレット】
2004503306.tif 000003
2004503306.tif 000004
2004503306.tif 000005
2004503306.tif 000006
2004503306.tif 000007
2004503306.tif 000008
2004503306.tif 000009
2004503306.tif 000010
2004503306.tif 000011
2004503306.tif 000012
2004503306.tif 000013
2004503306.tif 000014
2004503306.tif 000015
2004503306.tif 000016
2004503306.tif 000017
2004503306.tif 000018
2004503306.tif 000019
2004503306.tif 000020
2004503306.tif 000021
2004503306.tif 000022
【国際調査報告】
2004503306.tif 000023